【事件の表示】
　平成　８年特許願第　４９７４０号「マルチプレクサ」拒絶査定不服審判事件〔平成　９年　９月１９日出願公開、特開平　９−２４６９２８〕について、次のとおり審決する。
【結　論】
　本件審判の請求は、成り立たない。
【理　由】
１，手続の経緯 ・本願発明
　本願は、平成８年３月７日の出願であって、特許請求の範囲の請求項１に係る発明は、平成１６年４月１６日付け手続補正書により補正された明細書及び図面の記載からみて、その特許請求の範囲の請求項１に記載された次のとおりのものと認める。（以下、「本願発明」という。） 
　「複数のアナログ信号を入力する複数のアナログ入力信号端子と、各アナログ入力信号を時分割で選択するためのアドレス信号入力端子とを有する複数の前段マルチプレクサと、
　前記各マルチプレクサからの各アナログ信号を入力する複数のアナログ入力信号端子と、各アナログ入力信号を時分割で選択するためのアドレス信号入力端子とを有してＡ／Ｄ変換器のアナログ入力として取り出す１つの後段マルチプレクサとを備えたマルチプレクサにおいて、
　前記各前段マルチプレクサは、それぞれ各アナログ信号入力端子の少なくとも１つを基準信号入力端子とし、他の各アナログ信号入力端子からのアナログ信号を選択する度に、その後に該基準信号入力端子を選択して基準信号を出力する構成としたことを特徴とするマルチプレクサ。」
　
２，引用刊行物記載の発明
　これに対して，原査定の拒絶の理由に引用された，本願の出願の日前である平成７年１月２４日に頒布された「特開平７−２０１６６号公報 」（以下、「引用例」という。）には，次の事項が記載されている。
　
（ア）「【特許請求の範囲】
【請求項１】測定入力スイッチおよびゼロ入力スイッチを切り換え測定入力信号またはゼロ入力信号を取り込む入力切換器と、この入力切換器の出力をフィルタ回路を介して入力し増幅する増幅器と、この増幅器の出力をデジタル信号に変換するＡ−Ｄ変換器と、このＡ−Ｄ変換器の所定の動作が終了し入力切換器の次の測定入力スイッチがオンとなるまでの間ゼロ入力スイッチをオンとする処理手段とを備えたことを特徴とする入力装置。
【発明の詳細な説明】
【０００１】
【産業上の利用分野】この発明は、アナログ測定入力信号を切換選択して取り込むよう入力装置に関するものである。」（２ページ１欄１〜１４行）
　
（イ）「【０００７】図において、１は測定入力端子ｔ１、ｔ２、…、ｔｎに供給された測定入力信号ｅ１、ｅ２、…、ｅｎを切り換え選択する測定入力スイッチＳ１、Ｓ２、…、Ｓｎ、および、短絡してアースに接続されてゼロ入力信号が供給されるゼロ入力端子ｔｏを選択するゼロ入力スイッチＳｏを含む入力切換器、３は、入力切換器１の出力を抵抗Ｒ、コンデンサＣよりなるフィルタ回路２を介して入力し所定倍増幅する可変ゲインアンプのような増幅器、４は、増幅器３の出力をデジタル信号に変換するＡ−Ｄ変換器、５は、Ａ−Ｄ変換器４の出力を取り込み所定の処理を行うとともに、入力切換器１の入力取込、増幅器３の増幅度、Ａ−Ｄ変換器４のタイミング等の制御を行うマイクロコンピュータ、ＣＰＵ等の処理手段である。」（２ページ２欄１０〜２３行）
　
（ウ）「【００１１】図２に動作説明図があるように、スイッチＳ１、Ｓ２、…、Ｓｏは順次オン、オフして入力信号ｅ１、ｅ２、…、ｅｎ、ｅｏを取り込むが処理手段５等による動作のタイミングは次のようである。
【００１２】（１）測定入力スイッチＳ１…を順次オンとする。
【００１３】（２）必要な増幅器３のゲイン（増幅度）を設定する。
【００１４】（３）Ａ−Ｄ変換器４の変換を開始する。
【００１５】（４）Ａ−Ｄ変換器４の変換が終了する。
【００１６】（５）処理装置５がＡ−Ｄ変換器４の変換結果を取り込む。
【００１７】（６）Ａ−Ｄ変換器４の変換の所定の動作終了から次の測定入力スイッチがオンするまでの間、ゼロ入力スイッチＳｏをオンとし、フィルタ回路２の残留電圧を放電してゼロとする。
【００１８】（７）再び次ぎの測定入力スイッチをオンとし、動作をくり返す。」（２ページ１欄４５行〜同２欄５０行）
　
　上記各摘記事項から、引用例の「測定入力信号」および「測定入力端子」は、「アナログ入力信号」および「アナログ入力信号端子」といえる。
　また、上記各摘記事項から、引用例に記載のものは、「複数のアナログ入力信号を入力する複数のアナログ入力端子を有し、各アナログ入力信号を時分割で選択し、Ａ／Ｄ変換器のアナログ入力として取り出す入力切換器」に係わるものであるといえる。
　また、上記摘記事項（ア）および（ウ）の記載から、上記「入力切換器」は、「各アナログ信号入力端子の少なくとも１つをゼロ入力端子とし、他の各アナログ入力信号端子からのアナログ入力信号を選択する度に、その後にゼロ入力端子を選択してゼロ入力信号を出力」しているといえる。
　よって、上記引用例に記載の各摘記事項、関連する図面ならびにこの分野における技術常識を考慮すると、上記引用例には以下の発明（以下、「引用発明」という。）が開示されていると認められる。
　
「複数のアナログ入力信号を入力する複数のアナログ入力端子を有し、各アナログ入力信号を時分割で選択し、Ａ／Ｄ変換器のアナログ入力として取り出す入力切換器において、
　各アナログ信号入力端子の少なくとも１つをゼロ入力端子とし、他の各アナログ入力信号端子からのアナログ入力信号を選択する度に、その後にゼロ入力端子を選択してゼロ入力信号を出力することを特徴とする入力切換器。」
　
３，周知例
　特開昭５２−１４７０５２号公報（以下、「周知例１」という）には、図面と共に次の記載がある。
　
（エ）「発明の詳細な説明
　本発明は、複数のアナログ入力信号を高速で切換えるのに好適な複数のアナログ入力信号切換装置に関する。
　第１図に示すように、例えば同じレベルの信号をまとめてグループとし、マルチプレクサー１１，１２，１３を経由して、低ｍＶ用電圧電圧変換器１４，１５，１６に入力し更にグループ毎のマルチプレクサー１７，１８，１９を経由してＡ／Ｄ変換器２０に入力し、処理装置にデイジタル信号を送り出す方式がある。この方式は、個々のアナログ入力に信号変換手段である低ｍＶ用電圧電圧変換器を備えて増巾絶縁し、そのあとをマルチプレキシングする方式に比べて低価格にアナログ信号を入力出来る利点がある。しかし通常は、マルチプレクサー１１，１２，１３内部の切換機能を有する切換スイツチを添数字のごとく１〜ｍ〜ｍ＋ｒ〜ｍ＋ｒ＋ｑと図の上から下へと切換て使用する。」（１ページ左下欄１７行〜同右下欄１５行）
　
　また、特開昭６４−５１７２０号公報（以下「周知例２」という）には、図面と共に次の記載がある。
　
（オ）「このアナログ入力装置の機能，例えばチャンネル数を増やすとか前処理を行う場合、第４図に示すように拡張装置（１），（２）がアナログ入力端子の前段に設けられ、その拡張装置（１），（２）から出力されるアナログ入力信号６０がアナログ入力装置７の各アナログ入力接続端子【１】〜【４】にそれぞれ接続される。
　しかし、この拡張装置を制御するために、アナログ入力装置７から拡張装置（１），（２）へ制御信号６１を出力する（拡張機能によっては拡張装置より応答信号を出力する場合もある）必要があり、このためアナログ入力接続端子【１】〜【４】とは別に制御信号用の接続端子ＴＥＭが設けられる。
　第４図はチャンネル数を拡張する例であって、制御信号６１として拡張装置（１），（２）のチャンネルを切換える制御パルス信号（以下制御信号と同一符号とする）６１をアナログ入力装置７から拡張装置（１），（２）へそれぞれ送出する最も簡易な機能拡張方式を示したものである。
　図中、拡張装置（１），（２）はそれぞれ８チャンネル（ＣＨ１〜ＣＨ８およびＣＨ９〜ＣＨ１６）のアナログ入力信号６０を切換えてアナログ入力装置７に出力するもので、アナログ入力装置７の送出する制御パルス信号（同期信号）６１をカウンタＣＴＲ５でカウントし、その計数出力でマルチプレクサＭＰＸ６を切換えるように構成されたものである。」（２ページ左下欄下から６行〜同右下欄２０行、なお、引用例原文においては、「【１】」〜「【４】」は、丸付き数字の１〜丸付き数字の４で記載されており、「（１）」及び「（２）」は、ローマ数字の１及びローマ数字の２で記載されている。）
　
　また、特開平５−１１０３９９号公報（以下「周知例３」という）には、図面と共に次の記載がある。
　
（カ）「【特許請求の範囲】
【請求項１】  それぞれ複数の入力信号が加えられる第１の複数のマルチプレクサと、
上記第１の複数のマルチプレクサの出力信号が加えられ、この第１の複数のマルチプレクサより速い切替動作を行う第２のマルチプレクサと、
上記第１の複数のマルチプレクサを１つづつ所定の順序で制御して各マルチプレクサから１つづつ信号を出力させると共に上記第２のマルチプレクサを制御して所定の順序で１つづつ信号を出力させる制御手段とを備えたマルチプレクサ入力切替装置。」（２ページ１欄１〜１１行）
　
（キ）「【００１０】
【実施例】図１において、第１の複数のマルチプレクサとして４つのマルチプレクサＡ、Ｂ、Ｃ、Ｄが設けられている。各マルチプレクサＡ〜Ｄには、それぞれ４つの入力端子、１，５，９，１３・２，６，１０，１４・３，７，１１，１５・４，８，１２，１６が設けられている。なお、これらの入力端子に付した番号１〜１６は後述する信号の取り出し順序をも示している。
【００１１】上記マルチプレクサＡ〜Ｄから取り出された信号は第２のマルチプレクサとしての高速切替用マルチプレクサＥに加えられ、ここで１つづつ切替え選択されて取り出され、Ａ／Ｄ変換器１７に加えられる。Ａ／Ｄ変換器１７で変換されたディジタルデータはメモリ１８に蓄えられる。
【００１２】また、制御手段としてのマルチプレクサコントローラ１９は、マルチプレクサＡ〜Ｄの入力端子１〜１６に加えられる入力信号をこの順に出力させるようにこれらのマルチプレクサＡ〜Ｄを制御すると共に、マルチプレクサＥに加えられた信号を順次出力させるようにこのマルチプレクサＥを制御し、さらにＡ／Ｄ変換器１７の動作をマルチプレクサＥの切替えと同期して制御する。」（２ページ２欄２２〜４３行）
　
　上記周知例１〜３の記載によれば、
「複数のアナログ信号を入力する複数のアナログ入力信号端子を有し、各アナログ入力信号を時分割で選択する複数の前段マルチプレクサと、各マルチプレクサからの各アナログ信号を入力する複数のアナログ入力信号端子を有し、各アナログ入力信号を時分割で選択しＡ／Ｄ変換器のアナログ入力として取り出す１つの後段マルチプレクサとを備えたマルチプレクサ。」は周知であるといえる。
　
４，対比・判断
　本願発明と引用発明を対比すると、引用発明の「入力切換器」と本願発明の「マルチプレクサ」との間に実質的な差異はない。
　また、本願発明の「基準信号」について、発明の詳細な記載を参酌すれば、
「【００１３】
　【発明の実施の形態】
　図１は、本発明の実施形態を示す回路図である。前段のマルチプレクサ３1〜３Kは、・・・中略・・・、異なる部分は複数のアナログ信号入力端子の内の１つを基準信号（０Ｖ）入力端子としている。」（明細書３ページ段落１３、参照。）
と記載されているから、「基準信号」は、「０Ｖ信号」であって、引用発明の「ゼロ入力信号」と実質的な差異は認められない。
　よって、両者は、
「複数のアナログ入力信号を入力する複数のアナログ入力端子を有し、各アナログ入力信号を時分割で選択し、Ａ／Ｄ変換器のアナログ入力として取り出すマルチプレクサにおいて、
　各アナログ信号入力端子の少なくとも１つを基準信号入力端子とし、他の各アナログ入力信号端子からのアナログ信号を選択する度に、その後に基準信号入力端子を選択して基準信号を出力することを特徴とするマルチプレクサ。」において一致し、下記の点で異なる。
　相違点
　本願発明は、「複数のアナログ信号を入力する複数のアナログ入力信号端子と、各アナログ入力信号を時分割で選択するためのアドレス信号入力端子とを有する複数の前段マルチプレクサと、前記各マルチプレクサからの各アナログ信号を入力する複数のアナログ入力信号端子と、各アナログ入力信号を時分割で選択するためのアドレス信号入力端子とを有してＡ／Ｄ変換器のアナログ入力として取り出す１つの後段マルチプレクサとを備えたマルチプレクサ」であって、「各前段のマルチプレクサ」を、「それぞれ各アナログ信号入力端子の少なくとも１つを基準信号入力端子とし、他の各アナログ信号入力端子からのアナログ信号を選択する度に、その後に該基準信号入力端子を選択して基準信号を出力する」構成としているのに対し、引用発明は、「複数の前段マルチプレクサ」および「後段マルチプレクサ」について明示されていない点。
　
　上記相違点について検討する。
　上記「３，」において示したとおり、「複数のアナログ信号を入力する複数のアナログ入力信号端子を有し、各アナログ入力信号を時分割で選択する複数の前段マルチプレクサと、各マルチプレクサからの各アナログ信号を入力する複数のアナログ入力信号端子を有し、各アナログ入力信号を時分割で選択しＡ／Ｄ変換器のアナログ入力として取り出す１つの後段マルチプレクサとを備えたマルチプレクサ。」は周知であって、該周知技術の「マルチプレクサ」を構成する「前段マルチプレクサ」に引用発明を適用することを阻害する格別な要因は見あたらないので、周知技術の「前段マルチプレクサ」に引用発明を適用し、複数のアナログ信号を入力する複数のアナログ入力信号端子を有し、各アナログ入力信号を時分割で選択する複数の前段マルチプレクサと、各マルチプレクサからの各アナログ信号を入力する複数のアナログ入力信号端子を有し、各アナログ入力信号を時分割で選択しＡ／Ｄ変換器のアナログ入力として取り出す１つの後段マルチプレクサとを備えたマルチプレクサにおいて、前記各前段マルチプレクサを、各アナログ信号入力端子の少なくとも１つを基準信号入力端子とし、他の各アナログ入力信号端子からのアナログ信号を選択する度に、その後に基準信号入力端子を選択して基準信号を出力するように構成することに格別な困難性はない。
　また、一般に、マルチプレクサにおいて、アナログ入力信号をアドレス信号により選択することは慣用技術（例えば、特開昭５７−１７８５３６号公報、特開昭６０−３９９２５号公報、特開昭６２−２８１７１６号公報、特開平２−２３８５９８号公報、各参照。）であるから、上記周知技術の「前段マルチプレクサ」および「後段マルチプレクサ」においても、「各アナログ入力信号を時分割で選択するためのアドレス信号入力端子」を設けることは当業者が適宜なし得たことに過ぎない。
　よって、周知技術の「前段マルチプレクサ」に引用発明を適用し、相違点に係わる構成とすることは当業者が容易になし得たことである。
　また、本願発明の作用効果も，引用発明及び周知技術から当業者が予測できる範囲のものである。
　
５，むすび
　したがって，本願発明は，引用例に記載された発明および周知技術に基づいて当業者が容易に発明をすることができたものであるから，特許法２９条２項の規定により特許を受けることができない。
　よって，結論のとおり審決する。